(57)【特許請求の範囲】
【請求項１】
記録再生すべき情報信号を圧縮符号化すると共に、２種類に種別されるキー情報を記録媒体の所定記録区間毎に交互に切り換えて使用し、その使用キー情報から生成したスクランブルキーに基づいてスクランブル処理したディジタル信号を記録媒体に記録する記録方法であって、
前記記録媒体の第１の記録区間におけるコンテンツストリーム記録エリアに、第１のキー情報を使用したスクランブルキーに基づいてスクランブル処理をしたディジタル信号を記録すると共に、前記第１のキー情報が前記２種類のうちの一方の種別のキー情報であることを示すキー種別情報を記録し、
前記記録媒体の前記第１の記録区間と前記第１の記録区間の直前及び直後の第２の記録区間における、前記コンテンツストリーム記録エリアとは異なり、再生装置の外への出力が防止されるキー情報記録エリアに、前記第１のキー情報と、前記第１のキー情報が前記一方の種別のキー情報であることを示す情報とを繰り返し記録し、
前記記録媒体の前記第１の記録区間における前記キー情報記録エリアに、前記第２の記録区間に記録される前記ディジタル信号のスクランブル処理に用いた第２のキー情報と、前記第２のキー情報が前記２種類のうち他方の種別のキー情報であることを示すキー種別情報とを記録するようにしたことを特徴とする記録方法。
【請求項２】
前記第１のキー情報が記録される区間は、前記第１の記録区間の２倍の長さ区間に設定されていることを特徴とする請求項１記載の記録方法。
【請求項３】
記録再生すべき情報信号を圧縮符号化すると共に、２種類に種別されるキー情報を所定の記録区間単位で交互に切り換えて使用し、その使用キー情報から生成したスクランブルキーに基づいてスクランブル処理したディジタル信号を記録した記録媒体から前記ディジタル信号を再生する再生方法であって、
前記記録媒体の第１の記録区間におけるコンテンツストリーム記録エリアには、第１のキー情報を利用してスクランブル処理したディジタル信号と、前記第１のキー情報が前記２種類のうちの一方の種別のキー情報であることを示す第２の解除情報とが記録され、
前記記録媒体の前記第１の記録区間と前記第１の記録区間の直前及び直後の第２の記録区間における、前記コンテンツストリーム記録エリアとは異なり、再生装置の外への出力が防止されるキー情報記録エリアには、前記第１の記録区間のディジタル信号のスクランブル処理に利用した第１のキー情報と、前記第１のキー情報が前記一方の種別のキー情報であることを示す情報が第１の解除情報として繰り返し記録され、
前記記録媒体の前記第１の記録区間における前記キー情報記録エリアには、前記第２の記録区間に記録される前記ディジタル信号のスクランブル処理に用いた第２のキー情報と、前記第２のキー情報が前記２種類のうち他方の種別のキー情報であることを示す情報が第１の解除情報として記録されており、
前記記録媒体の再生信号中から前記第１の解除情報を検出すると共に、前記記録媒体の再生信号中から前記第２の解除情報を検出し、検出した前記第１の解除情報に基づいてデスクランブルキーを生成し、検出した前記第２の解除情報に基づいて前記生成されたデスクランブルキーを選択し、選択された前記デスクランブルキーを用いて前記記録媒体の再生信号をデスクランブル処理することを特徴とする再生方法。
【請求項４】
記録再生すべき情報信号を圧縮符号化すると共に、２種類に種別されるキー情報を所定の記録区間単位で交互に切り換えて使用し、その使用キー情報から生成したスクランブルキーに基づいてスクランブル処理したディジタル信号を記録した記録媒体から前記ディジタル信号を再生する再生装置であって、
前記記録媒体の第１の記録区間におけるコンテンツストリーム記録エリアには、第１のキー情報を利用してスクランブル処理したディジタル信号と、前記第１のキー情報が前記２種類のうちの一方の種別のキー情報であることを示す第２の解除情報とが記録され、
前記記録媒体の前記第１の記録区間と前記第１の記録区間の直前及び直後の第２の記録区間における、前記コンテンツストリーム記録エリアとは異なり、再生装置の外への出力が防止されるキー情報記録エリアには、前記第１の記録区間のディジタル信号のスクランブル処理に利用した第１のキー情報と、前記第１のキー情報が前記一方の種別のキー情報であることを示す情報が第１の解除情報として繰り返し記録され、
前記記録媒体の前記第１の記録区間における前記キー情報記録エリアには、前記第２の記録区間に記録される前記ディジタル信号のスクランブル処理に用いた第２のキー情報と、前記第２のキー情報が前記２種類のうち他方の種別のキー情報であることを示す情報が第１の解除情報として記録されており、
前記記録媒体の再生信号中から前記第１の解除情報を検出する第１の検出手段と、
前記記録媒体の再生信号中から前記第２の解除情報を検出する第２の検出手段と、
前記第１の検出手段の検出信号に基づいてデスクランブルキーを生成するキー情報生成手段と、
前記第２の検出手段の検出信号に基づいて前記キー情報生成手段により生成されたデスクランブルキーを選択する選択手段と、
前記選択手段により選択されたデスクランブルキーを用いて前記記録媒体の再生信号をデスクランブル処理する処理手段と
を有することを特徴とする再生装置。
【請求項５】
記録再生すべき情報信号を圧縮符号化すると共に、２種類に種別されるキー情報を所定の記録区間単位で交互に切り換えて使用し、その使用キー情報から生成したスクランブルキーに基づいてスクランブル処理したディジタル信号が記録される記録媒体であって、
前記記録媒体の第１の記録区間におけるコンテンツストリーム記録エリアには、第１のキー情報を利用してスクランブル処理をしたディジタル信号と、前記第１のキー情報が前記２種類のうちの一方の種別のキー情報であることを示す第２の解除情報とが記録され、
前記記録媒体の前記第１の記録区間と前記第１の記録区間の直前及び直後の第２の記録区間における、前記コンテンツストリーム記録エリアとは異なり、再生装置の外への出力が防止されるキー情報記録エリアには、前記第１の記録区間のディジタル信号のスクランブル処理に利用した第１のキー情報と、前記第１のキー情報が前記一方の種別のキー情報であることを示す情報とが第１の解除情報として繰り返し記録され、
前記記録媒体の前記第１の記録区間における前記キー情報記録エリアには、前記第２の記録区間に記録される前記ディジタル信号のスクランブル処理に用いた第２のキー情報と、前記第２のキー情報が前記２種類のうち他方の種別のキー情報であることを示す情報が第１の解除情報として記録されることを特徴とする記録媒体。
【発明の詳細な説明】
【０００１】
【発明の属する技術分野】
本発明は記録方法、再生方法、再生装置及び記録媒体に係り、特に映像信号と音声信号にスクランブルをかけて記録媒体に記録し、再生した映像信号と音声信号はデスクランブルする記録方法、再生方法、再生装置及び記録媒体に関する。
【０００２】
【従来の技術】
近年、ディジタル記録再生機器の開発普及に伴って、ＡＶコンテンツの劣化のないダビングも可能となり、ダビング防止技術の開発が盛んとなっている。その中で一般的となりつつあるのが、コンテンツを暗号化して記録する技術であり、ＤＶＤ（Ｄｉｇｉｔａｌ  Ｖｅｒｓａｔｉｌｅ  Ｄｉｓｃ）ビデオでもその技術が採用されている。一般的には、暗号化する場合、一つのキーで暗号化されるため、暗号が解読され易い。しかし、解読されにくい暗号方式を使用すると、解読するためのハードウェア規模が大きく、高価となってしまう。そこで、それらを解決する手段として、放送の分野では一定時間でスクランブルキーを変えて伝送する技術が一般化している。
【０００３】
【発明が解決しようとする課題】
しかるに、上記の暗号化技術を記録再生装置に適用する場合、コンテンツの記録とキー情報とを同じように記録すると、キー情報もコンテンツと一緒に出力されてしまい、何回も同一個所を再生できる記録再生装置では、キー情報が解析し易くなり、セキュリティ上問題となる。従って、キー情報は再生装置より出力されず、かつ、システムをコントロールする情報として記録するのが望ましい。しかるに、このようにキー情報を記録すると、今度はコンテンツとの同期が問題となり、どのエリアのスクランブル化した情報とどのキーが対応するのかが分からなくなるといった問題が生じる。
【０００４】
本発明は以上の点に鑑みなされたもので、スクランブル化した情報とキー情報の同期のための情報を必要とすることなく、再生信号のコピーを防止し得る記録方法、再生方法、再生装置及び記録媒体を提供することを目的とする。
【０００５】
また、本発明の他の目的は、安価な構成により再生信号のコピーを防止し得る記録方法、再生方法、再生装置及び記録媒体を提供することにある。
【０００６】
【課題を解決するための手段】
上記の目的を達成するため、本発明記録方法は記録再生すべき情報信号を圧縮符号化すると共に、２種類に種別されるキー情報を記録媒体の所定記録区間毎に交互に切り換えて使用し、その使用キー情報から生成したスクランブルキーに基づいてスクランブル処理したディジタル信号を記録媒体に記録する記録方法であって、記録媒体の第１の記録区間におけるコンテンツストリーム記録エリアに、第１のキー情報を使用したスクランブルキーに基づいてスクランブル処理をしたディジタル信号を記録すると共に、第１のキー情報が２種類のうちの一方の種別のキー情報であることを示すキー種別情報を記録し、記録媒体の第１の記録区間と第１の記録区間の直前及び直後の第２の記録区間における、コンテンツストリーム記録エリアとは異なり、再生装置の外への出力が防止されるキー情報記録エリアに、第１のキー情報と、第１のキー情報が一方の種別のキー情報であることを示す情報とを繰り返し記録し、記録媒体の第１の記録区間におけるキー情報記録エリアに、第２の記録区間に記録されるディジタル信号のスクランブル処理に用いた第２のキー情報と、第２のキー情報が２種類のうち他方の種別のキー情報であることを示すキー種別情報とを記録するようにしたことを特徴とする。
【０００７】
ここで、上記の第１のキー情報が記録される区間は、第１の記録区間の２倍の長さ区間に設定されていることを特徴とする。
【０００８】
また、上記の目的を達成するため、本発明の再生方法は、記録再生すべき情報信号を圧縮符号化すると共に、２種類に種別されるキー情報を所定の記録区間単位で交互に切り換えて使用し、その使用キー情報から生成したスクランブルキーに基づいてスクランブル処理したディジタル信号を記録した記録媒体からディジタル信号を再生する再生方法であって、記録媒体の第１の記録区間におけるコンテンツストリーム記録エリアには、第１のキー情報を利用してスクランブル処理したディジタル信号と、第１のキー情報が２種類のうちの一方の種別のキー情報であることを示す第２の解除情報とが記録され、記録媒体の第１の記録区間と第１の記録区間の直前及び直後の第２の記録区間における、コンテンツストリーム記録エリアとは異なり、再生装置の外への出力が防止されるキー情報記録エリアには、第１の記録区間のディジタル信号のスクランブル処理に利用した第１のキー情報と、第１のキー情報が一方の種別のキー情報であることを示す情報が第１の解除情報として繰り返し記録され、記録媒体の第１の記録区間におけるキー情報記録エリアには、第２の記録区間に記録されるディジタル信号のスクランブル処理に用いた第２のキー情報と、第２のキー情報が２種類のうち他方の種別のキー情報であることを示す情報が第１の解除情報として記録されており、記録媒体の再生信号中から第１の解除情報を検出すると共に、記録媒体の再生信号中から第２の解除情報を検出し、検出した第１の解除情報に基づいてデスクランブルキーを生成し、検出した第２の解除情報に基づいて生成されたデスクランブルキーを選択し、選択されたデスクランブルキーを用いて記録媒体の再生信号をデスクランブル処理することを特徴とする。
【０００９】
また、上記の目的を達成するため、本発明の再生装置は、記録再生すべき情報信号を圧縮符号化すると共に、２種類に種別されるキー情報を所定の記録区間単位で交互に切り換えて使用し、その使用キー情報から生成したスクランブルキーに基づいてスクランブル処理したディジタル信号を記録した記録媒体からディジタル信号を再生する再生装置であって、記録媒体の第１の記録区間におけるコンテンツストリーム記録エリアには、第１のキー情報を利用してスクランブル処理したディジタル信号と、第１のキー情報が２種類のうちの一方の種別のキー情報であることを示す第２の解除情報とが記録され、記録媒体の第１の記録区間と第１の記録区間の直前及び直後の第２の記録区間における、コンテンツストリーム記録エリアとは異なり、再生装置の外への出力が防止されるキー情報記録エリアには、第１の記録区間のディジタル信号のスクランブル処理に利用した第１のキー情報と、第１のキー情報が一方の種別のキー情報であることを示す情報が第１の解除情報として繰り返し記録され、記録媒体の第１の記録区間におけるキー情報記録エリアには、第２の記録区間に記録されるディジタル信号のスクランブル処理に用いた第２のキー情報と、第２のキー情報が２種類のうち他方の種別のキー情報であることを示す情報が第１の解除情報として記録されており、記録媒体の再生信号中から第１の解除情報を検出する第１の検出手段と、記録媒体の再生信号中から第２の解除情報を検出する第２の検出手段と、第１の検出手段の検出信号に基づいてデスクランブルキーを生成するキー情報生成手段と、第２の検出手段の検出信号に基づいてキー情報生成手段により生成されたデスクランブルキーを選択する選択手段と、選択手段により選択されたデスクランブルキーを用いて記録媒体の再生信号をデスクランブル処理する処理手段とを有することを特徴とする。
【００１０】
この発明では、再生装置の外への出力が防止されるキー情報記録エリアからの再生信号から検出した第１のキー情報と第２のキー情報とに基づいてデスクランブルキーをそれぞれ生成すると共に、再生信号から２種類のうちの一方又は他方の種別のキー情報であることを示す情報を検出して、上記のデスクランブルキーを選択することにより、この選択されたデスクランブルキーを用いて記録媒体の再生信号をデスクランブル処理できる。
【００１１】
また、上記の目的を達成するため、本発明の記録媒体は、記録再生すべき情報信号を圧縮符号化すると共に、２種類に種別されるキー情報を所定の記録区間単位で交互に切り換えて使用し、その使用キー情報から生成したスクランブルキーに基づいてスクランブル処理したディジタル信号が記録される記録媒体であって、記録媒体の第１の記録区間におけるコンテンツストリーム記録エリアには、第１のキー情報を利用してスクランブル処理をしたディジタル信号と、第１のキー情報が２種類のうちの一方の種別のキー情報であることを示す第２の解除情報とが記録され、記録媒体の第１の記録区間と第１の記録区間の直前及び直後の第２の記録区間における、コンテンツストリーム記録エリアとは異なり、再生装置の外への出力が防止されるキー情報記録エリアには、第１の記録区間のディジタル信号のスクランブル処理に利用した第１のキー情報と、第１のキー情報が一方の種別のキー情報であることを示す情報とが第１の解除情報として繰り返し記録され、記録媒体の第１の記録区間におけるキー情報記録エリアには、第２の記録区間に記録されるディジタル信号のスクランブル処理に用いた第２のキー情報と、第２のキー情報が２種類のうち他方の種別のキー情報であることを示す情報が第１の解除情報として記録されることを特徴とする。
【００１２】
【発明の実施の形態】
次に、本発明の一実施の形態について図面と共に説明する。図１は本発明になる記録方法により記録媒体に記録された記録情報の一実施の形態の説明図、図２は本発明になる再生装置の一実施の形態のブロック図を示す。
【００１３】
この実施の形態では、記録再生されるべき映像信号及び音声信号が例えばＭＰＥＧ２方式により圧縮符号化されると共に、その符号化の際に例えば１０秒毎にキー情報を交互に切り換えてスクランブルし、そのスクランブル後の符号化データをトランスポートストリーム（ＴＳ）の形態で記録する。図１には、上記のＭＰＥＧ２方式によるＴＳ記録部１と、キー情報記録部２とを便宜上分かりやすいように分けて模式的に示してある。
【００１４】
なお、本明細書における上記のキー情報には、大きく分けて２種類のキー情報が存在し、キー情報の切り換え周期である１０秒毎に奇数番目のキー情報と偶数番目のキー情報とが交互に使用される。ただし、同一種類のキー情報であっても、キー情報の内容は通常は異なる（たまたま同じこともある）。また、記録するキー情報は、再生側でデスクランブルキーを生成するための基となる情報であり、デスクランブルキーそのものではない。
【００１５】
ここで、上記のＴＳは周知のように、図３（Ａ）に示すように、１８８バイトのトランスポートパケットが時系列的に合成されたデータ列（パケット列）である。また、各トランスポートパケットは、図３（Ｂ）に示すように、同期バイトから巡回カウンタまでの４バイトのトランスポートヘッダに続いてアダプテーションフィールドとペイロード（情報）とからなる構成であり、このうちトランスポートヘッダ中の２ビットのスクランブル制御２０により、スクランブルの有無とスクランブルしている場合は前記２種類のキー情報のうちのどちらのキー情報を使用してスクランブルしているかを示す。
【００１６】
このスクランブル制御２０は、ディジタル信号がいずれのキー情報でスクランブル処理されているのか、つまり奇数番目のキー情報でスクランブル処理されているのか、それとも偶数番目のキー情報でスクランブル処理されているのかを示す第２の解除情報を示す。上記のトランスポートヘッダはスクランブル処理はされず、アダプテーションフィールドとペイロードがスクランブル処理されて記録される。
【００１７】
なお、本明細書において、奇数番目のスクランブル区間をオッド（ｏｄｄ）スクランブル、このとき用いる一方のキー情報を前述の如く奇数番目のキー情報、あるいはオッドキー情報といい、また、偶数番目のスクランブル区間をイーブン（ｅｖｅｎ）スクランブル、このとき用いる他方のキー情報を前述の如く偶数番目のキー情報、あるいはイーブンキー情報というものとする。また、上記の２ビットのスクランブル制御２０は、図４に示すように、”００”のときノンスクランブル、”１０”のときイーブンスクランブル、”１１”のときオッドスクランブルであるものとする。
【００１８】
再び図１に戻って説明するに、記録媒体上のＴＳ記録部１の２（ｍ−１）、２ｍ、２（ｍ＋１）、．．．で示す１つおきの記録部は、上記のイーブンスクランブルのときのＴＳ記録部であり、２（ｍ−１）＋１、２ｍ＋１、．．．で示す残りの１つおきの記録部は、上記のオッドスクランブルのときのＴＳ記録部であり、前述した２種類のキー情報の切り換え周期である１０秒毎に交互に記録されている。この２種類のキー情報の切り換え周期である１０秒では、例えば６００トラックが形成される。
【００１９】
ＴＳ記録部１に記録されるスクランブル制御２０は、第２の解除情報に相当し、ディジタル信号と一体的に記録される。すなわち、１０秒毎にスクランブルキーを切り換えてスクランブル処理された後記録されるディジタル信号（符号化データ）と共に、そのディジタル信号のスクランブルキーを生成する基となるキー情報の種類を示すスクランブル制御２０がディジタル信号と同じ区間記録されている。
【００２０】
また、図１のキー情報記録部２の上半分に模式的に示す２（ｋ−１）、２ｋ、２（ｋ＋１）、．．．は、上記のイーブンキー情報記録区間を模式的に示しており、イーブンスクランブル２ｍのＴＳの記録トラック開始位置よりも例えば３００トラック前からイーブンスクランブル２ｍのＴＳのキー情報を示すイーブンキー情報２ｋが記録開始され、イーブンスクランブル２ｍのＴＳの記録トラック終了位置よりも更に例えば３００トラック後までの計１２００トラックの間、イーブンキー情報２ｋが記録されている。つまり、イーブンスクランブル２ｍのＴＳの記録トラック数の２倍の数のトラックにわたり、イーブンキー情報２ｋが記録されている。
【００２１】
同様に、図１のキー情報記録部２の下半分に模式的に示す２（ｋ−１）＋１、２ｋ＋１、．．．は、上記のオッドキー情報記録区間を模式的に示しており、オッドスクランブル２ｍ＋１のＴＳの記録トラック開始位置よりも例えば３００トラック前からオッドスクランブル２ｍ＋１のＴＳのキー情報を示すオッドキー情報２ｋ＋１が記録開始され、オッドスクランブル２ｍ＋１のＴＳの記録トラック終了位置よりも更に例えば３００トラック後までの計１２００トラックの間、オッドキー情報２ｋ＋１が記録されている。つまり、オッドスクランブル２ｍ＋１のＴＳの記録トラック数の２倍の数のトラックにわたり、オッドキー情報２ｋ＋１が記録されている。
【００２２】
上記のイーブンキー情報とオッドキー情報に分類されるキー情報は、前述の如く同一種類であっても内容の異なるキー情報であり、少なくともこのキー情報が第１の解除情報に含まれている。
【００２３】
本発明は記録媒体の形態を問わないが、図１のような記録形態で記録する記録媒体として、Ｄ−ＶＨＳ（登録商標）システムに基づく磁気テープを例にとって更に説明する。Ｄ−ＶＨＳシステムは、回転体の回転面に１８０度対向して取り付けられた、互いにアジマス角度の異なる２つの回転ヘッドにより、上記回転体の外側面に約１８０度の角度範囲にわたって斜めに巻回されつつ一定速度で走行される磁気テープに、ディジタル信号を記録再生する構成のヘリカルスキャン方式磁気記録再生装置（ＶＴＲ）により、所定のパケットサイズの有効データのパケットを、付加情報と共に固定長のデータブロック単位で記録し再生するディジタルＶＴＲシステムである。
【００２４】
記録装置内のエンコーダは、入力されたＴＳ、メインヘッダ情報及びパック情報から、上記のＤ−ＶＨＳシステムに準拠した所定フォーマットのディジタル信号を生成して記録機構により磁気テープに記録させる。記録機構は、上記の回転体に取り付けられた２つの回転ヘッドと、エンコーダから出力されたディジタル信号を回転ヘッドに供給するロータリートランスなどからなり、回転体に巻回されつつ一定速度で走行する磁気テープに、テープ長手方向に対して傾斜した長手方向を持つディジタル信号記録トラックを順次に形成する。
【００２５】
この順次に形成されるディジタル信号記録トラックは、図５に示すように、データブロックに相当するシンクブロック（ＳＢ）と称される一定量のデータエリアを、回転ヘッドの走査に従って複数個配置することにより構成される。すなわち、ディジタル信号記録トラックのトラックフォーマットは、図５に示す如く、２シンクブロックのマージン領域２１、３シンクブロックのプリアンブル領域２２、４シンクブロックのサブコード領域２３、３シンクブロックのポストアンブル領域２４、３シンクブロックのＩＢＧ領域２５、１シンクブロックのプリアンブル領域２６、３３６シンクブロックのメインコード領域（データ領域）  ２７、２シンクブロックのポストアンブル領域２８及びマージン領域２９から構成されており、情報の記録領域として、メインコード領域２７とサブコード領域２３の２領域を有している。
【００２６】
なお、マージン領域２９は前記回転ヘッドが取り付けられた回転体が、ドラムサーボにより３０ｒｐｓ又は２９．９７ｒｐｓで回転するように制御されるの  で、２シンクブロック又は２．３５６シンクブロックとされ、よって１トラック全体では３５６シンクブロック又は３５６．３５６シンクブロックで構成され  る。いずれの場合も、サブコード領域２３は４シンクブロック、メインコード領域２７は３３６シンクブロックで固定長に設定されている。メインコード領域  ２７には、例えばＭＰＥＧ２のトランスポートストリームの１８８バイトの各パケットが隣接する２つのシンクブロックを単位として記録される。
【００２７】
上記の各シンクブロックのうち、メインコード領域２７におけるシンクブロックのフォーマットは、図６に示すように、そのシンクブロック再生のための２バイトの同期信号（Ｓｙｎｃ）の領域３１と、３バイトのアドレス情報（ＩＤ）の領域３２と、様々な情報を格納する２バイトのメインヘッダ格納領域３３と、１バイトのデータ予備領域（ＤＡＴＡ−ＡＵＸ）３４と、９６バイトのデータ格納領域３５と、このシンクブロックの情報の誤り訂正のための８バイトの内部パリティ格納領域３６とが時系列的に合成された全部で１１２バイトの構成である。データエリア９９バイトのうち、後９６バイトが映像情報のデータ格納領域３５である。この実施の形態では、データ格納領域３５に前記スクランブル制御２０を記録し、メインコード領域２７の各シンクブロックに存在する、図３の１バイトのデータ予備領域３４に前記キー情報をパックの形態で記録する。
【００２８】
このデータ予備領域３４は、図７に示すように、６シンクブロックを一周期として記録され（つまり６バイト単位で記録され）、一周期内の１番目のシンクブロックのデータ予備領域３４にはパックヘッダＰＣ０が記録され、残りの２番目から６番目の計５つのシンクブロックの各データ予備領域３４にはパック情報ＰＣ１〜ＰＣ５が記録される。
【００２９】
ここで、本実施の形態では、図７に示したＰＣ０〜ＰＣ５の計６バイトのパック情報のうち、１番目のパックヘッダＰＣ０の１バイトをオール”１”のときにスクランブルキー情報を示し、２番目のパック情報ＰＣ１の先頭ビット（ＭＳＢ）が”０”のときイーブンキー情報、”１”のときオッドキー情報であるものとし、ＰＣ１の下位７ビットは頁番号を示し、ＰＣ２〜ＰＣ５は具体的なスクランブルキーを生成する基となるキー情報の内容を示すものとする。具体的なキー情報としては、例えば、キー情報が６４バイトならば、ＰＣ１は００Ｈ〜０ＦＨ又は８０Ｈ〜８ＦＨで、それぞれ１つのキー情報を示すこととなる。
【００３０】
１本のトラック中の３３６シンクブロックあるメインコード領域２７のデータ予備領域３４には、例えばキー情報が２パック記録され、そのうちの１パックはイーブンキー情報が、残りの１パックはオッドキー情報が記録される。また、図１と共に説明したように、同一の値のキー情報が１２００トラックにわたって繰り返し記録される。なお、キー情報の内容自体は、通常は、前述したように同じオッドキー情報であっても異なり、同じイーブンキー情報であっても異なる。
【００３１】
次に、本発明の再生系について図２と共に説明する。回転ヘッドを用いて磁気テープから再生された再生ディジタル信号はデコーダを通して、再生ＴＳと再生パック情報とされ、前述したメインコード領域２７のデータ予備領域３４から再生されたパック情報はＰＣ１検出器１１に供給され、再生ＴＳはスクランブル検出器１７に供給される。ＰＣ１検出器１１はＰＣ０がオール”１”である再生パック情報のＰＣ１を検出して、レジスタ１２にＰＣ０がオール”１”である再生パック全体を保持する。レジスタ１２に保持された再生パックは、そのＰＣ１の先頭ビットが”１”であるか”０”であるかＭＳＢ検出器１３で検出される一方、キージェネレータ１４に供給される。
【００３２】
キージェネレータ１４は、レジスタ１２を通して入力されるＰＣ０がオール”１”である再生パック情報のＰＣ２〜ＰＣ５に基づくキー情報の内容からデスクランブルキーを生成し、その生成したデスクランブルキーを、ＭＳＢ検出器１３からの検出キー情報が”０”であるときの検出信号入力時は、イーブンキー情報用レジスタ１５に格納し、ＭＳＢ検出器１３からの検出キー情報が”１”であるときの検出信号入力時は、オッドキー情報用レジスタ１６に格納する。
【００３３】
一方、スクランブル検出器１７は入力再生ＴＳを復号化回路１９に供給する一方、再生ＴＳのトランスポートヘッダ中のスクランブル制御２０の値が”１０”であるときはセレクタ１８からイーブンキー情報用レジスタ１５からのデスクランブルキーを選択させ、スクランブル制御２０の値が”１１”であるときはセレクタ１８からオッドキー情報用レジスタ１６からのデスクランブルキーを選択させるように、セレクタ１８を制御する。また、スクランブル検出器１７は、スクランブル制御２０の値が”００”であるときはセレクタ１８からはキー情報の出力を停止させる。なお、トランスポートヘッダは記録側ではスクランブル処理されていないので、再生信号から直接にスクランブル制御２０の値を得ることができる。
【００３４】
復号化回路１９は、セレクタ１８からデスクランブルキーが入力されないときは、入力再生ＴＳをそのままスルーで出力させ、セレクタ１８からデスクランブルキーが入力されたときは、そのデスクランブルキーに基づいて入力再生ＴＳのデスクランブル（デクリプト）処理を行って出力する。
【００３５】
この実施の形態では、図１に示したように、スクランブル処理された再生ＴＳの再生期間の３００トラック前から３００トラック後までの期間、その再生ＴＳのデスクランブルキーがセレクタ１８から復号化回路１９に入力されるので、スクランブル処理された再生ＴＳと再生デスクランブルキーとが同期しておらず、位相が若干ずれていたとしても、復号化回路１９に再生ＴＳが入力された時点では、記録時に用いたスクランブルキーに対応したデスクランブルキーが復号化回路１９に入力されているので、正常にデスクランブル処理ができる。すなわち、スクランブル化した情報とキー情報の同期のための情報や回路を必要とすることなく、正常にデスクランブル処理ができる。
【００３６】
また、この実施の形態では、１０秒毎にキー情報を切り換えているので、安価な暗号化回路で強い暗号化が行える。更に、この実施の形態では、キー情報はトラックに分割して（時間間隔をあけて）記録しているので、ストリーム解析で判別しずらくすることができる。また、この実施の形態では、データ予備領域３４を使用しているので、映像信号と音声信号の符号化データの記録容量の低下を防止できる。また、この実施の形態では、図１に示したようにキー情報をコンテンツ情報とは別系統で記録するため、再生装置の外への出力を防止でき、セキュリティ効果を大にできる。
【００３７】
なお、本発明は上記の実施の形態に限定されるものではなく、キー情報あるいはスクランブル制御２０に相当する解除情報はサブコード領域２３に記録してもよく、また、磁気テープ以外の光ディスクなどの他の記録媒体にも本発明を適用できる。また、キー情報の種類は３種類以上でも上記の実施の形態と同様にして構成できる。また、上記の実施の形態では、キージェネレータ１４は再生パック情報のＰＣ２〜ＰＣ５に基づくキー情報の内容からデスクランブルキーを演算して生成するように説明したが、キージェネレータ１４は演算結果であるすべてのデスクランブルキーを予め格納しているＲＯＭ（リード・オンリ・メモリ）とし、ＰＣ２〜ＰＣ５に基づくキー情報の内容はこのＲＯＭにアドレスとして入力されてデスクランブルキーを指定する値にするようにしてもよい。
【００３８】
【発明の効果】
以上説明したように、本発明によれば、第１の解除情報と第２の解除情報とが同期していなくても、再生信号から第１の解除情報と第２の解除情報とを同時に得られるようにできるため、第１の解除情報と第２の解除情報との同期のための情報や回路を不要にでき、よって従来に比べて安価な構成によりセキュリティの高い記録ができる。
【００３９】
また、本発明によれば、第１の解除情報を分割して記録するようにしたため、ストリーム解析で判別しにくくでき、また映像信号及び音声信号を圧縮符号化し、かつ、スクランブルしたディジタル信号とは別系統で第１及び第２の解除情報を記録するようにしたため、装置外への出力を防止でき、セキュリティ効果を大にできる。
【００４０】
更に、本発明によれば、スクランブル処理のキー情報を一定時間毎に切り換えているので、安価な構成により強い暗号化が行える。
【００４１】
更に、本発明によれば、第１及び第２の解除情報の一方は、データブロック内の付加情報記録領域内又はデータ予備領域に記録するようにしたため、映像信号及び音声信号を圧縮符号化し、かつ、スクランブルしたディジタル信号の記録容量の減少を防止できる。
【図面の簡単な説明】
【図１】本発明の記録方法により記録された記録媒体上の記録信号の一実施の形態の説明図である。
【図２】本発明の再生装置の一実施の形態のブロック図である。
【図３】ＭＰＥＧ２方式のトランスポートストリームとトランスポートパケットの説明図である。
【図４】スクランブル制御の値の一例の説明図である。
【図５】本発明の記録トラックのフォーマットの一例を示す図である。
【図６】図５中のメインコード領域のデータブロックのフォーマットの一例を示す図である。
【図７】図６中のデータ予備領域の記録情報の一例を示す図である。
【符号の説明】
１  ＴＳ記録部
２  キー情報記録部
１１  ＰＣ１検出器
１２  レジスタ
１３  ＭＳＢ検出器
１４  キージェネレータ
１５  オッドキー情報用レジスタ
１６  イーブンキー情報用レジスタ
１７  スクランブル検出器
１８  セレクタ
１９  復号化回路
２０  スクランブル制御
２７  メインコード領域
３４  データ予備領域
【図１】
0003692838.tif 000002
【図２】
0003692838.tif 000003
【図３】
0003692838.tif 000004
【図４】
0003692838.tif 000005
【図５】
0003692838.tif 000006
【図６】
0003692838.tif 000007
【図７】
0003692838.tif 000008